(57)【要約】【課題】  広告効果を高めることにより、広告コンテンツ表示の対価である端末使用者の通信費の割引率向上を実現する、テレビ会議広告表示システムを得ることを目的とする。【解決手段】  本テレビ会議広告表示システムは、多地点でのテレビ会議を制御するＭＣＵ  ６、ＭＣＵ制御サーバ８、広告用コンテンツデータベース１３、テレビ会議予約サーバ９、会議情報データベース１４、ウェブアクセスサーバであるポータルサーバ１０を備えている。各構成要素はＬＡＮ  ７を介して接続されており、ＭＣＵ制御サーバ８とＭＣＵ  ６はＰＲＩ回線５を介して接続されている。広告用コンテンツデータベース１３と会議情報データベース１４は、それぞれＭＣＵ制御サーバ８とテレビ会議予約サーバ９に付属するディスク装置内に構築されている。【選択図】        図１
2006319673.tif 000002
【特許請求の範囲】
【請求項１】
インターネットを介して端末からテレビ会議の会議予約入力を受信し、会議予約要求を送信するポータルサーバと、
前記ポータルサーバからの前記会議予約要求を受信して会議情報データベースに前記テレビ会議の予約情報を書き込み、定期的に前記会議情報データベースから前記予約情報を検索して、前記予約情報で指定された前記テレビ会議の開催時間になると、会議開始要求を送信するテレビ会議予約サーバと、
前記テレビ会議予約サーバからの前記会議開始要求を受信し、広告用コンテンツデータベースから広告コンテンツの読み出しを行ない、前記会議開始要求と前記広告コンテンツを送信するＭＣＵ制御サーバと、
前記ＭＣＵ制御サーバからの前記会議開始要求と前記広告コンテンツを受信し、公衆電話網を介して複数の端末とＤＴＭＦ信号を送受信して前記テレビ会議を制御すると共に、前記広告コンテンツを前記複数の端末に配信するＭＣＵとを備えたテレビ会議広告表示システム。
【請求項２】
前記予約情報で予め指定された、前記複数の端末における前記広告コンテンツの表示範囲に従って、前記テレビ会議開始時に前記ＭＣＵが前記表示範囲を設定することを特徴とする請求項１記載のテレビ会議広告表示システム。
【請求項３】
前記ＭＣＵが前記複数の端末からの広告中止のＤＴＭＦ信号を受信することにより、前記ＭＣＵが前記ＭＣＵ制御サーバに対して切断のＤＴＭＦ信号を送信して、前記ＭＣＵ制御サーバが前記広告用コンテンツデータベースからの前記広告コンテンツの配信を中止することを特徴とする請求項１または請求項２記載のテレビ会議広告表示システム。
【請求項４】
前記広告コンテンツの配信を中止した場合に、前記ＭＣＵ制御サーバが切断通知を前記テレビ会議予約サーバに送信し、前記テレビ会議予約サーバが前記会議情報データベースに対して前記広告コンテンツの配信時間の書き込みを行なうことを特徴とする請求項３記載のテレビ会議広告表示システム。
【請求項５】
前記広告コンテンツが動画像であることを特徴とする請求項１から請求項４のうちのいずれか１項記載のテレビ会議広告表示システム。
【請求項６】
前記複数の端末が、携帯電話端末、固定電話端末、ＰＨＳ端末のうちのいずれか１つ以上であることを特徴とする請求項１から請求項５のうちのいずれか１項記載のテレビ会議広告表示システム。
【発明の詳細な説明】
【技術分野】
【０００１】
この発明は、テレビ電話機能を有する携帯電話端末、ＰＨＳ端末、固定電話端末等を用いてテレビ会議を行なう際に、各端末の表示画面上に広告コンテンツを表示するテレビ会議広告表示システムに関するものである。
【背景技術】
【０００２】
携帯電話端末等を用いた広告表示システムとは、各端末の表示画面の一部に静止画像の広告コンテンツを表示し、その対価として、使用者の通信費を割り引いて安価にする等のサービスを提供するものである。また、広告主にとっても、広域で多数の端末使用者に、同時に広告コンテンツを配信できるという利点があった。
【０００３】
従来の携帯電話端末等を用いた広告表示システムとしては、待ち受け画面に広告を表示する、携帯電話システムにおける広告情報処理方法が提供されている（例えば、特許文献１参照）。
【０００４】
【特許文献１】特開２００１−１８６５７５号公報
【発明の開示】
【発明が解決しようとする課題】
【０００５】
従来の携帯電話端末等を用いた広告表示システムは、以上のように構成されていたので、携帯電話端末の待ち受け中に広告コンテンツを表示しても、使用者が待ち受け画面を見る機会が少ないので十分な広告効果が得られないという課題があった。
また、広告コンテンツ表示が静止画像で行われているので、情報の単純性から広告効果が限定されるという課題があった。
更に、広告コンテンツ表示により通話料や使用量のコストダウンが図れる反面、テレビ会議通話中の画面の大部分に広告が表示され続けた場合には、使用者としては通話に集中できないという課題があった。
【０００６】
この発明は上記のような課題を解消するためになされたもので、使用者自身が広告コンテンツ表示の選択権を有することで広告効果を高め、広告コンテンツ表示の対価である端末使用者の通信費の割引率向上を実現する、テレビ会議広告表示システムを得ることを目的とする。
また、同テレビ会議広告表示システムにおいて、テレビ会議中であっても、使用者自身が任意に端末での広告コンテンツ表示の有無を指定できるようにすることを目的とする。
【課題を解決するための手段】
【０００７】
この発明に係るテレビ会議広告表示システムは、インターネットを介して端末からテレビ会議の会議予約入力を受信し、会議予約要求を送信するポータルサーバと、前記ポータルサーバからの前記会議予約要求を受信して会議情報データベースに前記テレビ会議の予約情報を書き込み、定期的に前記会議情報データベースから前記予約情報を検索して、前記予約情報で指定された前記テレビ会議の開催時間になると、会議開始要求を送信するテレビ会議予約サーバと、前記テレビ会議予約サーバからの前記会議開始要求を受信し、広告用コンテンツデータベースから広告コンテンツの読み出しを行ない、前記会議開始要求と前記広告コンテンツを送信するＭＣＵ制御サーバと、前記ＭＣＵ制御サーバからの前記会議開始要求と前記広告コンテンツを受信し、公衆電話網を介して複数の端末とＤＴＭＦ信号を送受信して前記テレビ会議を制御すると共に、前記広告コンテンツを前記複数の端末に配信するＭＣＵとを備えている。
【発明の効果】
【０００８】
この発明によれば、端末への広告コンテンツ表示を希望する使用者自身の指定により、広告コンテンツをテレビ会議通話中の端末の表示画面に表示することができるため、広告効果を高めることができる。
【発明を実施するための最良の形態】
【０００９】
実施の形態１．
以下、この発明の実施の形態１について説明する。図１は、この発明の実施の形態１に係るテレビ会議広告表示システムの構成図である。図１において、本テレビ会議広告表示システムは、多地点でのテレビ会議を制御するＭＣＵ（Ｍｕｌｔｉｐｏｉｎｔ  Ｃｏｎｔｒｏｌ  Ｕｎｉｔ）６、ＭＣＵ制御サーバ８、広告用コンテンツデータベース１３、テレビ会議予約サーバ９、会議情報データベース１４、ウェブアクセスサーバであるポータルサーバ１０を備えている。各構成要素はＬＡＮ  ７を介して接続されており、ＭＣＵ制御サーバ８とＭＣＵ  ６はＰＲＩ回線５を介して接続されている。なお、広告用コンテンツデータベース１３と会議情報データベース１４は、それぞれＭＣＵ制御サーバ８とテレビ会議予約サーバ９に付属するディスク装置内に構築されている。
【００１０】
図１において、本テレビ会議広告表示システムと外部端末である携帯電話端末１、固定電話端末２、ＰＨＳ端末３とのインターフェースとして、公衆電話網４がＰＲＩ回線５を介してＭＣＵ６と接続されている。また、本テレビ会議広告表示システムと携帯電話端末１、パソコン１２とのインターフェースとして、携帯電話網を含むインターネット１１がＬＡＮ  ７を介してポータルサーバ１０と接続されている。携帯電話端末１、固定電話端末２、ＰＨＳ端末３は、それぞれテレビ電話機能を有するものとする。また、端末として、デジタルカメラ等を接続したパソコンを利用することもできる。
【００１１】
次に、本テレビ会議広告表示システムへの各端末からのアクセスについて説明する。本テレビ会議広告表示システムへのアクセスは、テレビ会議の予約アクセスとテレビ会議の開催（テレビ会議通話）アクセスの２種類がある。先ず、テレビ会議の予約アクセスのシーケンスについて説明する。図２は、この発明の実施の形態１に係るテレビ会議広告表示システムにおける、各端末からのテレビ会議予約アクセスのシーケンス図である。図２において、矢印の向きと、上から下に向かってテレビ会議の予約アクセスのシーケンスが進行する。
【００１２】
テレビ会議の予約はインターネット１１を介して行うため、携帯電話端末１またはパソコン１２からのアクセスとなる。これらの端末から「ログイン」を受信したポータルサーバ１０は、テレビ会議予約サーバ９に対して「認証要求」を送信する。なお、前提条件として、テレビ会議予約を行う使用者の会員情報は予め会議情報データベース１４に登録されているものとする。テレビ会議予約サーバ９は、会議情報データベース１４にアクセスして「会員情報の読み出し」を行う。会議情報データベース１４に会員情報が存在すれば、テレビ会議予約サーバ９は、ポータルサーバ１０へ「認証応答」を送信する。存在しない場合は「認証応答」を送信しない。ポータルサーバ１０は、「認証応答」の内容を精査する。精査の結果ＯＫであれば、ポータルサーバ１０は、携帯電話端末１またはパソコン１２に対してテレビ会議予約画面を表示して、「会議予約入力」を受け付ける。
【００１３】
図３は、この発明の実施の形態１に係るテレビ会議広告表示システムにおいて、各端末に表示されるテレビ会議予約画面のイメージ図である。図３のテレビ会議予約画面において、使用者は、当該テレビ会議における広告コンテンツ表示の有無を自らの判断で指定できる。広告表示の項目で「有り」を指定した場合には、更に「広告コンテンツの数」（１／４画面、２／４画面、３／４画面）が表示され、使用者が指定することができる。また、「会議日時」、「会議時間」、「会議タイトル」、「会議メンバ」等のテレビ会議予約に関する項目と、「画面モード」（４分割／全画面）を入力指定する。最後に、使用者は「予約」ボタンを押下して指定内容を予約情報としてポータルサーバ１０に送信する。
【００１４】
図２において、ポータルサーバ１０は、端末からの「予約ボタン押下」を受信し、テレビ会議予約サーバ９に対して「会議予約要求」を送信しする。テレビ会議予約サーバ９では、「会議予約要求」で指定された日時のＭＣＵ  ６のリソース空き状況を会議情報データベース１４で確認する（「空き時間確認」）。リソースに空きがあれば、テレビ会議予約サーバ９は「会員情報書き込み」を行って、当該テレビ会議の予約情報を会議情報データベース１４に登録する。また、それと同時に「会議予約応答」をポータルサーバ１０に送信する。ポータルサーバ１０は、「会議予約応答」を受けて、携帯電話端末１またはパソコン１２に対して「会議予約完了画面表示」を行なう。
【００１５】
次に、テレビ会議の開催アクセスのシーケンスについて説明する。図４は、この発明の実施の形態１に係るテレビ会議広告表示システムにおける、テレビ会議の開催から終了までのシーケンス図である。図４において、矢印の向きと、上から下に向かってテレビ会議の開催アクセスのシーケンスが進行する。また、図４中の細い矢印線は、ＬＡＮ  ７上の信号を示している。太い矢印線は、ＰＲＩ  ５上の信号／音声等、または、公衆電話網４と各端末（携帯電話端末１や固定電話端末２、ＰＨＳ端末３）との間で送受信する信号／音声等を示す。ＭＣＵ  ６と各端末は、ＤＴＭＦ（Ｄｉａｌ  Ｔｏｎｅ  Ｍｕｌｔｉ  Ｆｒｅｑｕｅｎｃｙ）信号を送受信する。なお、図４中の破線で挟まれた部分は、後述の実施の形態２で説明する。
【００１６】
図４において、テレビ会議予約サーバ９は、会議情報データベース１４から定期的に「会議情報読み出し」を行い、近々開始予定のテレビ会議の予約情報を検出する（「会議検出」）。テレビ会議予約サーバ９は、該当するテレビ会議の予約情報を検出すると、ＭＣＵ制御サーバ８を経由してＭＣＵ  ６に対して「会議開始要求」を送信する。ＭＣＵ制御サーバ８は、「会議開始要求」から広告コンテンツ表示が必要なことを検出した場合には、広告用コンテンツデータベース１３にアクセスして、「広告コンテンツ読み出し」を行う。そして、ＭＣＵ制御サーバ８は、テレビ会議予約サーバ９に対して「会議開始応答」を送信すると共に、ＭＣＵ  ６に対して“ＳｅｔＵｐ”（発呼）を送信する。ＭＣＵ  ６は、ＭＣＵ制御サーバ８との接続が完了すると同時にテレビ会議参加者である各端末（携帯電話端末１や固定電話端末２、ＰＨＳ端末３）を呼び出すためにＰＲＩ回線５を介して公衆電話網４に“ＳｅｔＵｐ”を送信して接続処理を行う。
【００１７】
各端末では、ＭＣＵ  ６からの“ＳｅｔＵｐ”に応じた着信呼出（「着呼」）が出力される。また、公衆電話網４からＭＣＵ  ６に対しては、“Ａｌｅｒｔ”（呼び出し信号）が送信される。端末側から公衆電話網４へ「応答」すると、公衆電話網４からＭＣＵ  ６へ“Ｃｏｎｎｅｃｔ（接続信号）”が送信される。ＭＣＵ  ６からＭＣＵ制御サーバ８に対して「接続通知」が送信され、ＭＣＵ制御サーバ８からテレビ会議予約サーバ９に対しても「接続通知」が送信される。テレビ会議予約サーバ９は、会議情報データベースに「通話記録書き込み」を行なう。
【００１８】
各端末とＭＣＵ  ６との間の接続が確立すると、両者の間でテレビ会議（広告有り）が開催され、ＭＣＵ  ６から各端末へ、前述の「広告コンテンツ読み出し」による広告コンテンツが配信される。なお、予め“広告無し”と指定したテレビ会議の場合には、各端末とＭＣＵ  ６との間でテレビ会議（広告無し）が実行される。
【００１９】
例として、携帯電話端末１を用いたテレビ会議について説明する。図５は、携帯電話端末１に表示されるテレビ会議画面であり、参加者が４人の場合のテレビ会議中の４分割画面のイメージ図である。図３のテレビ会議予約画面で予め広告表示有りを指定した場合には、同図での「広告コンテンツの数」での指定が前述の「会議開始要求」に反映される。ＭＣＵ  ６は「会議開始要求」に従って、携帯電話端末１に広告コンテンツの表示範囲を設定する。具体的には図５に示すように、テレビ会議通話中４分割画面１５のうち、１／４〜３／４画面に広告主が提供した広告コンテンツの画像が表示される。残りの画面にはテレビ会議参加者の画像が表示され、広告コンテンツの表示をしたまま、複数の相手との相互通信を行なうことにより、テレビ会議を実施することができる。また、本テレビ会議広告表示システムは、それぞれの端末が接続したタイミング、または切断したタイミングで、会議情報データベース１４に通話記録を保存する処理（「通話記録書き込み」）を行う。
【００２０】
予め指定したテレビ会議の終了時刻になると、テレビ会議予約サーバ９は、「会議終了検出」を行ない、ＭＣＵ制御サーバ８に対して「会議終了要求」を送信する。ＭＣＵ制御サーバ８も、ＭＣＵ  ６に対して「会議終了要求」を送信する。ＭＣＵ  ６は、公衆電話網４に対して“Ｄｉｓｃ”（切断信号）を送信し、公衆電話網４は、各端末に対して“ＢＴ”（ビジートーン、話中音）を送信する。その際に、ＭＣＵ制御サーバ８は、テレビ会議予約サーバ９に対して、「会議終了応答」を送信する。各端末が“オンフック”（切断状態）になると、公衆電話網４からＭＣＵ  ６に対して、“Ｒｅｌ”（解放信号）が送信される。ＭＣＵ  ６は、公衆電話網４に対して“Ｒｅｌ  Ｃｏｍｐ”（解放完了信号）を送信すると共に、ＭＣＵ制御サーバ８に対して「切断通知」を送信する。ＭＣＵ制御サーバ８は、テレビ会議予約サーバ９に対して「切断通知」を送信し、テレビ会議予約サーバ９は、会議情報データベース１４に対して「通話記録書き込み」を行う。
【００２１】
本テレビ会議広告システムの使用者は、自らの意志により広告コンテンツ表示の有無を指定し、有りを指定した場合には広告コンテンツ表示の対価として、通信費を割引して安価にする等のサービスを受けることができる。また、本テレビ会議広告表示システムでは、広告表示画面の数を多く指定することで、その対価が考慮されて通信費の割引率が変動する。更に、広告主が提供する動画像または静止画像の広告コンテンツは、広告用コンテンツデータベース１３に保存するだけで次回以降のテレビ会議に反映され、広告コンテンツの更新の度にシステムを停止する必要がなく、広告コンテンツの頻繁な更新にも対応することができる。
【００２２】
この実施の形態１によれば、広告コンテンツ表示を希望する使用者自身の指定により、広告コンテンツをテレビ会議通話中の端末の表示画面に、予め指定された通りに表示することができるため、広告効果を高めることができる。また、使用者自身の指定により広告コンテンツの表示範囲を切り替えることで、その対価としての割引率を変動させることができる。
【００２３】
実施の形態２．
以下、この発明の実施の形態２について説明する。テレビ会議予約時に広告表示有りを指定した場合であっても、当該テレビ会議が開催されて以降、通話している最中に広告コンテンツの表示を中止したいという要求が発生することが考えられる。実施の形態２に係るテレビ会議広告表示システムは、通話中の広告画面の表示／非表示は利用者に選択権があるという顧客第一主義の観点から、テレビ会議中でも広告コンテンツの表示を中止する手段を備える。
【００２４】
広告コンテンツ表示を行っているテレビ会議の時間中に、任意の参加者がＤＴＭＦ信号を送信することで、ＭＣＵ  ６に対して各種機能の要求をすることができる。具体的な要求として、画面モード変更、音声ミュート切替、参加者追加の各種コマンドに加え、広告コンテンツ表示の有無を指示することができる。
【００２５】
図４の破線で挟まれた部分は、実施の形態２に係るテレビ会議広告表示システムにおける、ＤＴＭＦによる広告中止のシーケンスを示している。図４において、ＭＣＵ  ６は、端末側からの「広告中止」のＤＴＭＦ信号を受信すると、ＭＣＵ制御サーバ８に対して“Ｄｉｓｃ”を送信して接続を切断し、広告用コンテンツデータベース１３からの広告コンテンツの配信を停止する。切断後に、ＭＣＵ制御サーバ８はＭＣＵ  ６に対して、“Ｒｅｌ”を送信する。ＭＣＵ  ６は、ＭＣＵ制御サーバ８に対して、“Ｒｅｌ  Ｃｏｍｐ”（解放完了信号）を送信し、ＭＣＵ制御サーバ８は、テレビ会議予約サーバ９に対して、「切断通知」を送信する。テレビ会議予約サーバ９は、会議情報データベース１４に対して「通話記録書き込み」を行い、広告コンテンツの配信時間を記録する。逆に、端末から「広告表示」のＤＴＭＦ信号を送信することにより、広告コンテンツの表示または再表示を行なうこともできる。
【００２６】
この実施の形態２によれば、使用者の意思によりテレビ会議通話画面から任意に広告コンテンツ表示の有無が指定され、顧客満足度の向上が図れるという効果が生まれる。会議情報データベース１４には、広告用コンテンツデータベース１３から広告コンテンツを配信していた時間が通話記録として保存されるため、全体のテレビ会議時間における、広告表示時間の割合を求めることが可能となり、その時間に応じた通信費または割引率を算出することができる。
【図面の簡単な説明】
【００２７】
【図１】この発明の実施の形態１に係るテレビ会議広告表示システムの構成図である。
【図２】この発明の実施の形態１に係るテレビ会議広告表示システムにおける、各端末からのテレビ会議予約アクセスのシーケンス図である。
【図３】この発明の実施の形態１に係るテレビ会議広告表示システムにおいて、各端末に表示されるテレビ会議予約画面のイメージ図である。
【図４】この発明の実施の形態１に係るテレビ会議広告表示システムにおける、テレビ会議の開催から終了までのシーケンス図である。
【図５】図１の携帯電話端末１に表示されるテレビ会議画面であり、参加者が４人の場合のテレビ会議中の４分割画面のイメージ図である。
【符号の説明】
【００２８】
１  携帯電話端末、２  固定電話端末、３  ＰＨＳ端末、４  公衆電話網、５  ＰＲＩ回線、６  ＭＣＵ、７  ＬＡＮ、８  ＭＣＵ制御サーバ、９  テレビ会議予約サーバ、１０  ポータルサーバ、１１  インターネット、１２  パソコン、１３  広告用コンテンツデータベース、１４  会議情報データベース、１５  テレビ会議通話中４分割画面、１６  テレビ会議予約画面。
【図１】
2006319673.tif 000003
【図２】
2006319673.tif 000004
【図３】
2006319673.tif 000005
【図４】
2006319673.tif 000006
【図５】
2006319673.tif 000007